(57)【要約】【課題】調光しても例えばＥＰＡ規格の放射エネルギー割合に適合し、またセラミック発光管を使用しても破損等の問題が発生しない、長寿命のメタルハライドランプを提供する。【解決手段】メタルハライドランプの発光管の内部に始動用希ガス、水銀、ハロゲン化テルビウム（ＴｂＸ３）、ハロゲン化タリウム（ＴｌＸ）およびハロゲン化セシウム（ＣｓＸ）を封入し、かつハロゲン化ジスブロシウム（ＤｙＸ３）、ハロゲン化ホルミウム（ＨｏＸ３）、ハロゲン化エルビウム（ＥｒＸ３）、ハロゲン化ツリウム（ＴｍＸ３）の少なくとも１種を封入し、それら封入量が、モル数で前記Ｔｂ、Ｄｙ、Ｈｏ、Ｅｒ、Ｔｍの総量をＡとしたときに、Ａに対するＴｂのモル比が０．１〜０．２５、Ａに対するＴｌのモル比が０．１５〜０．４、Ａに対するＣｓのモル比が１〜２、の関係を満たすようにする。【選択図】図１
2004139759.tif 000002
【特許請求の範囲】
【請求項１】
両端に電極を具備した透光性材料からなる発光管の内部に始動用希ガス、水銀、ハロゲン化テルビウム（ＴｂＸ３）、ハロゲン化タリウム（ＴｌＸ）およびハロゲン化セシウム（ＣｓＸ）が封入され、かつハロゲン化ジスブロシウム（ＤｙＸ３）、ハロゲン化ホルミウム（ＨｏＸ３）、ハロゲン化エルビウム（ＥｒＸ３）、ハロゲン化ツリウム（ＴｍＸ３）の少なくとも１種が封入され、それら封入量が、モル数で前記Ｔｂ、Ｄｙ、Ｈｏ、Ｅｒ、Ｔｍの総量をＡとしたときに、Ａに対するＴｂのモル比が０．１〜０．２５、Ａに対するＴｌのモル比が０．１５〜０．４、Ａに対するＣｓのモル比が１〜２、の関係を満たすことを特徴とするメタルハライドランプ。
【発明の詳細な説明】
【０００１】
【発明の属する技術分野】
本発明は、環境試験用日射装置等に用いるメタルハライドランプに関する。
【０００２】
【従来の技術】
従来、環境試験等に用いる日射装置用光源には、主にキセノンランプ、ハロゲンランプ、メタルハライドランプが用いられてきた。日射装置というのは、太陽光に近い分光分布の光を、自動車の車体や家屋の外壁等に照射し、耐久性等を試験する装置のことである。この日射装置では太陽光に近い分光分布を必要とすることから、それぞれ異なる分光分布を有する複数のランプを選択し、各ランプの放射光の分光分布を制御して、少なくとも特定の波長域において太陽光の分光分布に近似させる混光照明の手法が用いられてきた。また近年、米国環境保護庁のＥＰＡ規格より、波長２５０〜２５００ｎｍの領域を４つに分け、各波長領域における放射エネルギーの割合と、照射面の日射量が８５０±４５Ｗ／ｍ２であることを規格としている。４つの波長領域の割合を表１に示す。
【０００３】
【表１】
2004139759.tif 000003
【０００４】
多くの日射装置ではランプの調光も行い、従来の混光照明の手法では異なる分光分布のランプを複数用いる為、分光分布を制御する手段が複雑になってくる。
特に前記ＥＰＡ規格の放射エネルギー割合に適合させることは困難である。また使用されるランプの中ではメタルハライドランプが長寿命であり、メンテナンスの点からもメタルハライドランプのみで照明されることが望ましいところであるが、メタルハライドランプは一般に調光すると分光分布が大きく変化するため、前記ＥＰＡ規格の放射エネルギー割合に適合させることはより一層困難である。
日射量については、ある程度日射量の出ているランプであれば、ランプの配置位置によって何とでもなるため、日射量の問題はない。調光によってもランプ特性が変化しないメタルハライドランプとして、特開２００１−４３８２８で示すように封入物の比率を規定することで、調光してもＥＰＡ規格に適合させようとするランプが提案されている。
【０００５】
【特許文献１】
特開２００１−４３８２８号公報
【０００６】
【発明が解決しようとする課題】
しかしながら、発明者らが検討したところ、上記特開２００１−４３８２８に示されている封入物は、発光管材質が石英ガラスであれば特に問題はないが、封入物との反応性が低い分、石英ガラス製発光管より寿命特性が良いと言われている透光性セラミックを使用した発光管に適用すると、特に水平点灯時に発光管が破損することがわかった。この理由は定かではないが、水平点灯では特に放電アークの上方への曲がりにより、発光管上部が急激に加熱され、熱膨張によりセラミック発光管が破損するものと考えられる。実際に試作ランプを作り点灯試験をしたところ、水平点灯では点灯１〜２分ほどで発光管が破損した。
【０００７】
そこで、本発明は、例えば日射装置用途などの太陽光に近い分光分布を有するようなランプにおける上記問題点を解消する為になされたもので、調光してもＥＰＡ規格の放射エネルギー割合に適合し、またセラミック発光管を使用しても破損等の問題が発生しないなどの、長寿命のメタルハライドランプを提供するものである。
【０００８】
【課題を解決するための手段】
上記課題を解決するため、本発明のメタルハライドランプは、両端に電極を具備した透光性材料からなる発光管の内部に始動用希ガス、水銀、ハロゲン化テルビウム（ＴｂＸ３）、ハロゲン化タリウム（ＴｌＸ）およびハロゲン化セシウム（ＣｓＸ）が封入され、かつハロゲン化ジスブロシウム（ＤｙＸ３）、ハロゲン化ホルミウム（ＨｏＸ３）、ハロゲン化エルビウム（ＥｒＸ３）、ハロゲン化ツリウム（ＴｍＸ３）の少なくとも１種が封入され、それら封入量が、モル数で前記Ｔｂ、Ｄｙ、Ｈｏ、Ｅｒ、Ｔｍの総量をＡとしたときに、Ａに対するＴｂのモル比が０．１〜０．２５、Ａに対するＴｌのモル比が０．１５〜０．４、Ａに対するＣｓのモル比が１〜２、の関係を満たすことを特徴とする。
【０００９】
本発明によれば、調光しても、例えばＥＰＡ規格で規定されている各波長領域における放射エネルギーの割合に適合するなど、ランプ単体で太陽光に近い分光分布とすることができ、さらに発光管材質として透光性セラミックを用いることで、破損等の不具合が発生せず、長寿命のランプとすることができる。
【００１０】
また、定格のランプ電力における前記発光管の管璧負荷が、２０〜３５Ｗ／ｃｍ２の範囲内であることが好ましい。この範囲とすることで、例えばＥＰＡ規格に適合するなど、太陽光の分光分布に近い放射で、光束維持率を向上させることができる。さらに、調光点灯は、ランプ電力で７０〜１１０％が好ましい。
【００１１】
【発明の実施の形態】
以下、本発明の実施形態により本発明について詳細に説明する。
図１は発光管の概略構成断面図である。透光性セラミック管（アルミナ）からなる発光管１０は中央部の本管１１とその両端に取り付けられた細管１２とから構成されている。細径部１３と細管１２とはアルミナ製のディスク１４を介して気密的に接合されており、細管１２の発光管外方端部における内部には電極極芯１５に接続した第１の金属からなる電気導入体１６と第２の金属からなる電気導入体１７及びセラミックスリーブ１８が封着ガラス１９により気密的に固定されている。電極極芯には第１コイル２０と第２コイル２１が巻き付けてある。発光管内には始動用希ガスと水銀、ＤｙＩ３、ＴｂＩ３、ＣｓＩ、ＴｌＩが封入されている。前記発光管は図示しない支持部材により硬質ガラス製の外球に内蔵されている。
【００１２】
発光物質の最適な封入比率を調査する為、ＤｙＩ３とＴｂＩ３の総量をＡ（ｍｏｌ）としてＴｂＩ３／Ａ　＝　０〜０．３（ｍｏｌ比）
ＣｓＩ　／Ａ　＝　０．５〜３．０（ｍｏｌ比）
と変化させたランプの試作を行った。ＴｌＩは色補正として添加しており、ＴｌＩ／Ａ　＝　０．４（ｍｏｌ比）とした。試作ランプの発光管は定格電力時の管壁負荷を２３Ｗ／ｃｍ２で設計し、定格電力４００Ｗで垂直で点灯して、その特性を調査した。その結果を表２に示す。
【００１３】
【表２】
2004139759.tif 000004
【００１４】
表２から分かるようにＴｂＩ３／Ａは３２０〜４００ｎｍの割合に大きく影響し、またＣｓＩ／Ａは４００〜７８０ｎｍと７８０〜２５００ｎｍの割合に大きく影響することが分かる。表２の結果からはＴｂＩ３／Ａ　＝　０．１〜０．２（ｍｏｌ比）、ＣｓＩ／Ａ　＝　１．０〜２．０（ｍｏｌ比）の範囲ならＥＰＡ規格に適合することが分かるが、その後の詳細な試験によりＴｂＩ３／Ａ　＝　０．１〜０．２５（ｍｏｌ比）、ＣｓＩ／Ａ　＝　１．０〜２．０（ｍｏｌ比）の範囲ならＥＰＡ規格に適合することが判明した。また色補正として封入しているＴｌＩ量についてはＴｌＩ／Ａ　＝　０．１５〜０．４（ｍｏｌ比）の範囲なら、ＥＰＡ規格に適合し、かつ良好な昼光色が得られることが判明した。またこの封入比率の範囲内のランプを調光点灯したところ、ランプ電力で１１０〜７０％の範囲内ならＥＰＡ規格に適合することが判明した。
【００１５】
そして、本発明に係る上記封入物量における水平点灯時のセラミック発光管の破損の有無を確認した。表２の評価の欄に記載した通り、点灯初期から寿命末期にかけて全く破損は起こらなかった。このことから、上記のとおりの封入物質および封入量とすることで、ランプ単体で太陽光に近い分光分布を得られると共に、ランプの破損を抑制することができることがわかった。
【００１６】
試作ランプの発光管は定格電力時における管壁負荷を２３Ｗ／ｃｍ２で設計したが、管壁負荷とＥＰＡ規格との適合性を調査したところ、定格電力時の管壁負荷が２０Ｗ／ｃｍ２　未満になると前記封入比率の範囲ではＥＰＡ規格に適合しなくなる比率範囲が発生する。要するにＥＰＡ規格に適合する封入比率範囲が極端に狭くなることが判明した。管壁負荷を高くした場合、前記封入比率の範囲でＥＰＡ規格に適合しなくなることはないが、現状の日射装置用のランプ寿命は３０００時間で光束維持率８０％以上というのが一般的になってきているため、寿命という点で管壁負荷の上限が制限される。実際、管壁負荷を変化させたランプを寿命試験したところ、３０００時間で光束維持率８０％以上をクリアするためには管壁負荷が３５Ｗ／ｃｍ２　以下にする必要があることが判明した。
【００１７】
なおＤｙＩ３の替わりにＨｏＩ３、ＥｒＩ３、ＴｍＩ３を単体又は複数で添加しても上記に示したような一連の同様の結果が得られた。
【００１８】
【発明の効果】
以上説明したように、本発明によれば調光してもＥＰＡ規格で規定されている各波長領域における放射エネルギーの割合に適合し、また発光管材質が透光性セラミックであっても破損等の不具合が発生せず、長寿命のランプを提供することができる。
【図面の簡単な説明】
【図１】セラミック製発光管の概略構成断面図
【符号の説明】
１０　発光管
１１　本管
１２　細管
１４　ディスク
１５　電極極芯
１６　電気導入体
１７　電気導入体
１８　セラミックスリープ
１９　封着ガラス
２０　第１コイル
２１　第２コイル
【図１】
2004139759.tif 000005